(57)【要約】      （修正有）【課題】装置内に導入される不純水を水と不純物とに効果的に分離するマイクロバブル発生型螺旋流入式ストレーナを提供する。【解決手段】螺旋式整流羽根や濾過用スクリーン等を収納する筒体状の螺旋流入式ストレーナの不純水入口部２にはマイクロバブル発生装置２００が設けられ、整流筒体２５と空気導入管２６とによりバブル２８が発生し、このバブル２８により不純水の分離がより効果的に行われる。【選択図】図１
0003162162.tif 000002
【実用新案登録請求の範囲】
【請求項１】
上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離された前記不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部には、マイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とするマイクロバブル発生型螺旋流入式ストレーナ。
【考案の詳細な説明】
【技術分野】
【０００１】
本考案は、汚れた循環水及び各種の不純物を含む廃水を浄水と不純物とに効果的に分離して排出するストレーナに係り、特に、バブル発生により分離効率の向上を図るマイクロバブル発生型螺旋流入式ストレーナに関する。
【背景技術】
【０００２】
生活水準の向上や大量工業生産の多様化に伴い必要水量の多量化と共にその用途も多様化している。また、循環濾過処理としては風呂，プール，観賞池，工業施設等への洗浄水や冷却水とが使用され、空調設備にも多くの冷却水や洗浄水が用いられている。一方、廃水としては家庭廃水，工業廃水，畜産廃水，し尿処理廃水等極めて多くの廃水があり、これ等の廃水は河川に排出されている。そのため河川の汚染が生じこの汚染除去のための膨大な設備が必要となっている。このために前記循環水や廃水を処理する必要があり、従来より前処理としてストレーナが用いられている。従来使用されているストレーナとしては各種のものがあるが、一般的なものとしては手動式のものであり、上部バスケット取り出し口を開閉し、ストレーナバスケットを取り出し補促した不純物（有機物や残渣等）を除去し、再度組み込むものが使用されている。そのため、ランニングコストが大となる問題点がある。また、自動式のものもあるが、自動のための動力が必要となり、逆洗のための特別な設備が必要となり、装置も大型化しコスト高のものとなる問題点があった。また、ストレーナに関する公知技術としては各種のものがあるが、例えば、「特許文献１」に示すものが挙げられる。
【先行技術文献】
【特許文献】
【０００３】
【特許文献１】特開２０００−３３４２３号（図１）
【考案の概要】
【考案が解決しようとする課題】
【０００４】
前記の「特許文献１」の「特開２０００−３３４２３号」の「旋回流式ストレーナ」は容器本体（１１）に接線方向から浮遊異物を含む不純水を流入し、これに乱れ発生羽根（３３）で乱水を付加しながら相対向して設けられているストレーナエレメント（２５）で不純物を補促除去し、除去した不純物は容器本体（１１）の内壁とストレーナエレメント（２５）の外面との間に形成されている旋回流水空間（２７）に連通するドレン管３１より排出し、浄水は容器本体（１１）の下部に連通されている流出接続管（１９）から排水する構成からなる。しかしながら、以上の構成では浄水と不純物との分離効果が少ないと共に浄水や不純物自動排出効率が低い問題点がある。また、この公知技術には逆洗手段が設けられている。
また、前記のように、従来一般に使用されているストレーナは、公知技術と同様に浄水と不純物との分離除去効果が少ないと共に、前記のようにコスト高のものであり、自動排水が簡単に出来ない問題点があった。
【０００５】
本考案は、以上の問題点を解決するものであり、不純物の分離除去が効果的に行われ、浄水及び不純物の自動排出も簡単にでき、自動逆洗もできマイクロバブルの発生により分離効率の大巾の向上が図れるマイクロバブル発生型螺旋流入式ストレーナを提供することを目的とする。
【課題を解決するための手段】
【０００６】
本考案は、以上の目的を達成するために、請求項１の考案は、上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離された前記不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部には、マイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とする。
【考案の効果】
【０００７】
本考案の請求項１のマイクロバブル発生型螺旋流入式ストレーナによれば、不純水入口部から筒体内に流入された不純水は不純水入口部の接線方向からの導入と螺旋式整流板による螺旋運動により、大きな渦流現象が生じた状態で下方の濾過用スクリーンの内部な導入される。そのため、不純物は濾過用スクリーンにより効果的に補促され、浄水と不純物が効果的に分離除去され、不純物は下方のドレンポット側に落下し、不純物の排出部より排水される。一方、分離された浄水は浄水排出部から外部に除去される。なお、以上の動作は筒体内での導入水が渦流状で大きな力を有するものからなり、内部圧力が高く、浄水や不純物の排出は自動的に行われる。特に、本考案の装置はマイクロバブルが発生するように形成されているため分離効率の一層の向上と洗浄効果の向上と処理水質の改善等の効果を上げることができる。
【図面の簡単な説明】
【０００８】
【図１】マイクロバブル発生装置の全体構造を示す断面図。
【図２】図１のＡ矢視図。
【図３】整流筒体の正面図。
【図４】本考案のマイクロバブル発生装置が適用される螺旋流入式ストレーナの全体構造を示す軸断面図。
【図５】図４の上面図。
【図６】本考案のマイクロバブル発生装置が適用される螺旋流入式ストレーナの整流板を示す図４のＢ−Ｂ線断面図。
【考案を実施するための形態】
【０００９】
以下、本考案のマイクロバブル発生型螺旋流入式ストレーナの実施の形態を図面を参照して詳述する。なお、本考案はマイクロバブル発生装置の部分に特徴を有するものであるが、このマイクロバブル発生装置が設けられているストレーナの構造についてまず説明する。
【００１０】
筒体１は、図４に示すように細長の中空状筒体からなり、詳細には上方筒体１ａと中間筒体１ｂと下方筒体１ｃの３分割されたものからなるが、勿論これに限定するものではない。上方筒体１ａの上面にはフランジ８が固定され下面にはフランジ９が固定される。また、中間筒体１ｂにもその上面にフランジ１０が固定され下面にもフランジ１１が固定される。また、下方筒体１ｃの上面にもフランジ１２が固定され下面にはフランジ１３が夫々固定される。上方筒体１ａのフランジ８には上蓋１４が当接して着脱可能に固定される。また、上方筒体１ａの下面のフランジ９と中間筒体１ｂの上面のフランジ１０と互いに当接して着脱可能に連結される。また、中間筒体１ｂの下面のフランジ１１は下方筒体１ｃの上面のフランジ１２に当接し着脱可能に固定される。なお、フランジ１３は筒体１の底面を形成するものである。また、上蓋１４には筒体１内の空気抜きのための自動空気抜弁１５が連結される。
【００１１】
不純水入口部２は筒体１内に不純水を導入するもので図４及び図５に示すように筒体１，詳細には上方筒体１ａの外周に接線方向に沿って連結される中空管体からなり、筒体１内に連通する。
【００１２】
螺旋式整流羽根３は上方筒体１ａ内に設けられる螺旋体からなり、上蓋１４の中心位置から垂下したガイド筒１６を中心として複数巻巻回された螺旋状羽根からなる。この螺旋式整流羽根３は不純水入口部２から導入された不純水を渦流にするものでこの螺旋式整流羽根３により動に有された不純水は非常な勢いで筒体１内を回転しながら下方に送られる。
【００１３】
濾過用スクリーン４は、不純水内の有機物や残渣等の不純物を補促して不純水を浄水と不純物とに分離するものである。この濾過用スクリーン４は中間筒体１ｂ内に収納され、その外面と中間筒体１ｂとの内周との間には空間部１７が形成される。上方筒体１ａから螺旋状で降下して来た不純水は濾過用スクリーン４内に入り、不純物を補促すると共に不純物の除去された浄水を前記の空間部１７に送る。浄水排出部６は空間部１７に連結し、不純物の除去された浄水を外部に排水する。
【００１４】
下方筒体１ｃにはドレンポット５が形成され、濾過用スクリーン４により補促された不純物はこのドレンポット５に溜る。ドレンポット５内には前記のように不純物が溜るが、このドレンポット５に導入される不純水は導入された螺旋状の水流により渦流状態になって導入されるため、このままでは不純物の補促が効果的に行われない。よって、ドレンポット５内には渦流を整流化する整流板１８が設けられる。この整流板１８の下方には不純物排出部７側に向かって傾斜する傾斜板１９が設けられている。不純物排出部７は整流板１８と傾斜板１９との間が空間２０に連通して下方筒体１ｃの外周に連結される。
【００１５】
図５に示すように、不純物排出部７には自動弁２１が設けられ、この自動弁２１はドレンポット５内の不純物の滞留状態を見て自動開閉するものであり、開放時には筒体１の内部圧力により、不純物が確実に排出される。
【００１６】
図６は整流板１８の一例を示すものであり、本実施例では等分（六等分）に仕切られた仕切板１８ａを有するものからなる。これにより、渦流が整流化され降下する。濾過用スクリーン４により補促され分離された不純物はその下方にあるドレンポット５内に挿入されるが、この際に整流板１８により整流されてドレンポット５内に堆積される。不純物の堆積量がある程度になると自動弁２１が開放され、不純物は筒体１内の内部圧力を受けながら不純物排出部７から排出される。なお、濾過用スクリーン４は殺菌作用のある材料からなり、不純水の殺菌が行われる。
【００１７】
次に、本考案の螺旋流入式ストレーナ１００の作用を説明する。汚れた循環水は有機物や残渣等の不純物を含む廃水が不純水入口部２から筒体１の上方筒体１ａ内に接線方向から導入される。この不純水は螺旋式整流羽根３により渦流状に旋回され、遠心力等の作用を受けて不純物を分離しながら勢いよく中間筒体１ｂ側に送られる。そこで不純水は濾過用スクリーン４により濾過され、浄水と不純物とに分離される。浄水は空間１７から浄水排出部６に進み、外部に排出される。一方、濾過用スクリーン４により補促された不純物は、浄水として排出されない不純水と共にドレンポット５側に送られるが、一部の不純物は濾過用スクリーンに補促されたままの状態となる。ドレンポット５側に送られた不純物は自動弁２１の開放により間欠的に排出される。以上の作用により不純水は浄水化され不純物が排出されるが、長期間の使用により内部の各要素が汚れる。この際には筒体１の上方筒体１ａ，中間筒体１ｂ，下方筒体１ｃの連結を解放し、内部の各要素（螺旋式整流羽根３や濾過用スクリーン４等）をクリーニングして再生させる。
【００１８】
次に、本考案の主要素であるマイクロバブル発生装置を説明する。
図１に示すようにマイクロバブル発生装置２００は、筒体１の上方において接線方向に沿って連結されている不純水入口部２のパイプ２４内において不純水の流入方向に沿って設けられている整流筒体２５とこの整流筒体２５の先端近傍に空気排出部２６ａを有し不純水の流入方向と直交して配設される空気導入管２６とから構成される。
【００１９】
整流筒体２５は図１乃至図３に示すように先端側に向かって縮径するテーパ状の棒体からなり、基端側は弧状面２５ａが形成され先端側は軸線方向に対して直交する直交面２５ｂが形成されている。この整流筒体２５は図１及び図２に示すようにパイプ２４に基端側を固定されている支え板２７によりパイプ２４に保持されて不純水の流れる方向に沿ってパイプ２４内のほぼ中央部に配置される。
【００２０】
また、空気導入管２６はパイプ状の管体からなり、図略の空気送入体に連結され、その先端の空気排出部２６ａが整流筒体２５の直交面２５ｂの近傍に配置される。
【００２１】
以上の構造のマイクロバブル発生装置２００を不純物入口部２内に設けることにより不純物入口部２内に進入して来た不純水が整流筒体２５の外面に沿って案内され直交面２５ｂに到達すると従来の流れを継続して最後が合流するが直交面の後面は真空状態となり、先端近傍に設けた空気導入管２６よりの空気を吸引して気液混合されて泡状のマイクロバブルを発生する。不純水は筒体１に導入されて螺旋式整流羽根を通過することにより、更に気液混合剪断されて不純水がバブル２８の水になることにより次のような効果が上げられる。
１．不純物や油分等とマイクロバブルが結合することにより、比重の軽い物質は浮上して、分離効率が向上する。
２．マイクロバブルが槽内やスクリーン表面と接触してマイクロバブルの圧壊により、スクリーン表面に付着した汚れ等に対して洗浄効果が得られ、メンテナンスの軽減となる。
３．不純物等の凝集効率が向上し、結果として育成される汚泥などの不純物は減少する。
４．ガス供給源としてオゾンを選択した場合、マイクロバブルの圧壊による大量のフリーラジカルを利用して有機成分を酸化分解して処理水質の改善が得られる。
【００２２】
本考案は以上の説明の内容からなるが、この内容に限定するものではなく、同一技術的範疇のものが適用されることは勿論である。
【産業上の利用可能性】
【００２３】
本考案は、前記のような装置構造のセパレータとして不純水の不純物と水とを分離するものに使用されるのみでなく、各種形式のセパレータにも適用され、その利用範囲は広い。
【符号の説明】
【００２４】
１      筒体
１ａ    上方筒体
１ｂ    中間筒体
１ｃ    下方筒体
２      不純水入口部
３      螺旋式整流羽根
４      濾過用スクリーン
５      ドレンポット
６      浄水排出部
７      不純物排出部
８      フランジ
９      フランジ
１０    フランジ
１１    フランジ
１２    フランジ
１３    フランジ
１４    上蓋
１５    自動空気抜弁
１６    ガイド筒
１７    空間部
１８    整流板
１８ａ  仕切板
１９    傾斜板
２０    空間
２１    自動弁
２４    パイプ
２５    整流筒体
２５ａ  弧状面
２５ｂ  直交面
２６    空気導入管
２６ａ  空気排出部
２７    支え板
２８    バブル
１００  螺旋流入式ストレーナ
２００  マイクロバブル発生装置
【図１】
0003162162.tif 000003
【図２】
0003162162.tif 000004
【図３】
0003162162.tif 000005
【図４】
0003162162.tif 000006
【図５】
0003162162.tif 000007
【図６】
0003162162.tif 000008
【手続補正書】
【提出日】平成22年3月16日(2010.3.16)
【手続補正１】
【補正対象書類名】実用新案登録請求の範囲
【補正対象項目名】全文
【補正方法】変更
【補正の内容】
【実用新案登録請求の範囲】
【請求項１】
上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離され、前記濾過用スクリーンによって不純水から分離された不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部には、マイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とするマイクロバブル発生型螺旋流入式ストレーナ。
【手続補正２】
【補正対象書類名】明細書
【補正対象項目名】０００６
【補正方法】変更
【補正の内容】
【０００６】
本考案は、以上の目的を達成するために、請求項１の考案は、上下を閉止した細長の筒体と、該筒体の外周の上方側に接線方向に沿って連結する不純水入口部と、前記筒体の内部の上方側に配置される螺旋式整流羽根と、この下部に配置される濾過用スクリーンと、前記筒体の内部の下方に配置され分離され、前記濾過用スクリーンによって不純水から分離された不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部には、マイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とする。
【手続補正書】
【提出日】平成22年6月20日(2010.6.20)
【手続補正１】
【補正対象書類名】実用新案登録請求の範囲
【補正対象項目名】全文
【補正方法】変更
【補正の内容】
【実用新案登録請求の範囲】
【請求項１】
上下を閉止した細長の筒体と、該筒体の外周の上方側に接線方向に沿って連結する不純水入口側と、前記筒体の内部の上方側に配置される螺旋式整流羽根と、この下部に配置される濾過用スクリーンと、前記筒体の内部の下方に配置され、前記濾過用スクリーンによって不純水から分離された不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部にはマイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とするマイクロバブル発生型螺旋流入式ストレーナ。
【手続補正２】
【補正対象書類名】明細書
【補正対象項目名】０００６
【補正方法】変更
【補正の内容】
【０００６】
本考案は、以上の目的を達成するために、請求項１の考案は、上下を閉止した細長の筒体と、該筒体の外周の上方側に接線方向に沿って連結する不純水入口側と、前記筒体の内部の上方側に配置される螺旋式整流羽根と、この下部に配置される濾過用スクリーンと、前記筒体の内部の下方に配置され、前記濾過用スクリーンによって不純水から分離された不純物を蓄溜するドレンポットと、これに連通する不純物排出部と、前記濾過用スクリーンとほぼ相対向する位置において前記筒体に連結される浄水排出部とを有し、汚れた環境水及び油分や有機物や残渣等を含む廃水等の不純水を分離濾過して分離された浄水と不純物とを夫々排出するためのストレーナにおいて、筒体状の前記不純水入口部の内部にはマイクロバブルを発生するマイクロバブル発生装置が収納され、該マイクロバブル発生装置は、前記不純水入口部内に不純水の流入方向に沿って配設される整流筒体と、該整流筒体の先端近傍に空気排出部を有し不純水の流入方向と直交して配設される空気導入管とを有するものからなり、前記整流筒体は基端側から先端側に向かってテーパ状に縮径し前記基端側には弧状面が形成され先端側が不純水の流入方向と直交する直交面が形成されるものからなることを特徴とする。